(57)【要約】【課題】ゲイン切換時に発生したノイズとなる信号の出力を防止する。【解決手段】音響信号が入力される第１・第２入力端子１，２が共通の増幅回路３，４に接続され、第２入力端子２に外部出力端子が接続・分離自在とされると共に、第２入力端子２に、外部出力端子が接続された際に第１入力端子１から増幅回路３，４への音響信号の入力を遮断する連動スイッチＳＷＲ，ＳＥＬが備えられている。増幅回路の入力側に、第２入力端子２への外部出力端子の接続・分離により、増幅回路のゲインを切換えるゲイン切換回路５が接続され、増幅回路３，４の後段に、増幅回路３，４からの出力を遮断する第１音響ミュート回路６が配設され、増幅回路３，４の前段に、第２入力端子２からの増幅回路３，４への音響信号の入力を遮断する第２音響ミュート回路７が配設され、第１・第２音響ミュート回路６，７を制御するマイクロコントローラ１１が備えられている。【選択図】  図１
2008042285.tif 000002
【特許請求の範囲】
【請求項１】
音響信号が入力される第１・第２入力端子が共通の増幅回路に接続され、
第２入力端子に外部出力端子が接続・分離自在とされると共に、
第２入力端子に、外部出力端子が接続された際に第１入力端子から増幅回路への音響信号の入力を遮断する連動スイッチが備えられたオーディオ装置において、
第２入力端子に外部出力端子を接続した際に、増幅回路からの音響信号の出力を遮断した後、増幅回路の入力側に接続されたゲイン切換回路により、増幅回路のゲインを切換え、この切換後、第２入力端子からの増幅回路への音響信号の入力遮断を解除し、その後、増幅回路からの音響信号の出力の遮断を解除し、
第２入力端子から外部出力端子を分離した際に、増幅回路からの音響信号の出力を遮断した後、増幅回路の入力側に接続されたゲイン切換回路により、増幅回路のゲインを切換え、この切換後、第２入力端子からの増幅回路への音響信号の入力を遮断とともに第１入力端子に増幅回路入力側へ切替から増幅回路からの音響信号の出力の遮断を上記の順で解除するオーディオ装置のゲイン切換方法。
【請求項２】
音響信号が入力される第１・第２入力端子が共通の増幅回路に接続され、
第２入力端子に外部出力端子が接続・分離自在とされると共に、
第２入力端子に、外部出力端子が接続された際に第１入力端子から増幅回路への音響信号の入力を遮断する切換スイッチが備えられたオーディオ装置において、
増幅回路の入力側に、
第２入力端子への外部出力端子の接続・分離により、増幅回路のゲインを切換える    ゲイン切換回路
が接続され、
増幅回路の後段に、増幅回路からの音響信号の出力を遮断する第１音響ミュート回路が配設され、
増幅回路の前段に、第２入力端子からの増幅回路への音響信号の入力を遮断する第２音響ミュート回路が配設され、
制御手段が備えられ、
制御手段が、
Ａ．第２入力端子に外部出力端子を接続した際に、第１音響ミュート回路により、増      幅回路からの音響信号の出力を遮断した後、ゲイン切換回路を作動させ、この作動      後、第２音響ミュート回路により、第２入力端子からの増幅回路への音響信号の入      力遮断を解除し、その後、第１音響ミュート回路による、増幅回路からの音響信号      の出力の遮断を解除し、
Ｂ．第２入力端子から外部出力端子を分離した際に、第１音響ミュート回路により、      増幅回路からの音響信号の出力を遮断した後、ゲイン切換回路を作動させ、この作      動後、第２音響ミュート回路による、第２入力端子からの増幅回路への音響信号の      入力を遮断とともに第１入力端子に増幅回路入力側へ切替から第１音響ミュート回      路による、増幅回路からの音響信号の出力の遮断を上記の順で解除する
オーディオ装置のゲイン切換装置。
【請求項３】
ゲイン切換回路により、第２入力端子に外部出力端子を接続した際の増幅回路のゲインを分離時よりも大とする請求項２記載のオーディオ装置のゲイン切換装置。
【請求項４】
制御手段により制御されて第１・第２音響ミュート回路を作動させる第１・第２音響ミュート駆動回路が備えられた請求項２又は３記載のオーディオ装置のゲイン切換装置。
【請求項５】
増幅回路が、非反転増幅器とされるオペアンプを有し、
ゲイン切換回路が、オペアンプの反転入力端子をグラウンドに断続自在とする請求項２〜４の何れかに記載のオーディオ装置のゲイン切換装置。
【発明の詳細な説明】
【技術分野】
【０００１】
本発明は、オーディオ装置のゲイン切換方法及びその装置に関する。
【背景技術】
【０００２】
オーディオ装置には、内蔵マイクと連動スイッチ付きミキシングマイクジャックが、アンプと音量調整用ボリュームを有する共通の増幅回路に接続され、このジャックへのミキシングマイクの挿脱により、連動スイッチが作動して、内蔵マイク又はミキシングマイクからの音響信号が選択的にアンプに入力されると共に、ミキシングマイクの挿入時のみ、アンプからの音響信号がボリュームを介して出力されるようにして、増幅回路のゲインを切換えるようにしたものがある（例えば、特許文献１参照）。
【０００３】
ところで、上記オーディオ装置では、ゲイン切換時に、ノイズとなる信号が発生するが、この信号が出力されることを防止する手段が備えられておらず、この点に関する改善が要望されていた。
【０００４】
【特許文献１】実公平７−３４５３２号公報
【発明の開示】
【発明が解決しようとする課題】
【０００５】
本発明は、ゲイン切換時に発生したノイズとなる信号の出力を防止できるオーディオ装置のゲイン切換方法及びその切換装置を提供することを目的とする。
【課題を解決するための手段】
【０００６】
上記目的を達成するために、本発明のオーディオ装置のゲイン切換方法の特徴とするところは、音響信号が入力される第１・第２入力端子が共通の増幅回路に接続され、第２入力端子に外部出力端子が接続・分離自在とされると共に、第２入力端子に、外部出力端子が接続された際に第１入力端子から増幅回路への音響信号の入力を遮断する連動スイッチが備えられたオーディオ装置において、第２入力端子に外部出力端子を接続した際に、増幅回路からの音響信号の出力を遮断した後、増幅回路の入力側に接続されたゲイン切換回路により、増幅回路のゲインを切換え、この切換後、第２入力端子からの増幅回路への音響信号の入力遮断を解除し、その後、増幅回路からの音響信号の出力の遮断を解除する。第２入力端子から外部出力端子を分離した際に、増幅回路からの音響信号の出力を遮断した後、増幅回路の入力側に接続されたゲイン切換回路により、増幅回路のゲインを切換え、この切換後、第２入力端子からの増幅回路への音響信号の入力を遮断とともに第１入力端子に増幅回路入力側へ切替から増幅回路からの音響信号の出力の遮断を上記の順で解除する点にある。
又、本発明のオーディオ装置のゲイン切換装置の特徴とするところは、音響信号が入力される第１・第２入力端子が共通の増幅回路に接続され、第２入力端子に外部出力端子が接続・分離自在とされると共に、第２入力端子に、外部出力端子が接続された際に第１入力端子から増幅回路への音響信号の入力を遮断する切換スイッチが備えられたオーディオ装置において、増幅回路の入力側に、第２入力端子への外部出力端子の接続・分離により、増幅回路のゲインを切換えるゲイン切換回路が接続され、増幅回路の後段に、増幅回路からの音響信号の出力を遮断する第１音響ミュート回路が配設され、増幅回路の前段に、第２入力端子からの増幅回路への音響信号の入力を遮断する第２音響ミュート回路が配設され、制御手段が備えられ、制御手段が、Ａ．第２入力端子に外部出力端子を接続した際に、第１音響ミュート回路により、増幅回路からの音響信号の出力を遮断した後、ゲイン切換回路を作動させ、この作動後、第２音響ミュート回路により、第２入力端子からの増幅回路への音響信号の入力遮断を解除し、その後、第１音響ミュート回路による、増幅回路からの音響信号の出力の遮断を解除する。Ｂ．第２入力端子から外部出力端子を分離した際に、第１音響ミュート回路により、増幅回路からの音響信号の出力を遮断した後、ゲイン切換回路を作動させ、この作動後、第２音響ミュート回路による、第２入力端子からの増幅回路への音響信号の入力を遮断とともに第１入力端子に増幅回路入力側へ切替から第１音響ミュート回路による、増幅回路からの音響信号の出力の遮断を上記の順で解除する点にある。
尚、ゲイン切換回路により、第２入力端子に外部出力端子を接続した際の増幅回路のゲインを分離時よりも大とすることもある。
又、制御手段により制御されて第１・第２音響ミュート回路を作動させる第１・第２音響ミュート駆動回路が備えられることもある。
更に、増幅回路が、非反転増幅器とされるオペアンプを有し、ゲイン切換回路が、オペアンプの反転入力端子をグラウンドに断続自在とすることもある。
【発明の効果】
【０００７】
本発明によれば、ゲイン切換時に発生したノイズとなる信号の出力を良好に防止できると共に、増幅回路の入力側にゲイン切換回路が接続されたので、第１・第２入力端子に入力される音響ソースの出力インピーダンスの差が大である場合でも、問題が生じる惧れはない。
【発明を実施するための最良の形態】
【０００８】
以下、本発明の実施の形態の一例を図面に基づき説明すると、図１に示すように、オーディオ装置は、第１・第２入力端子１，２と、Ｒ・Ｌチャンネル用増幅回路３，４と、ゲイン切換回路５と、第１・第２音響ミュート回路６，７と、第１・第２音響ミュート駆動回路８，９と、セレクタ／ボリューム１０と、マイクロコントローラ１１等を有する。
【０００９】
第１入力端子１は、音響信号入力用ラインが接続・分離自在に接続されるもので、Ｒ・Ｌチャンネル用入力端子１Ｒ，１Ｌを有する。
【００１０】
第２入力端子２は、ミキシングマイク用ジャック（被接続部）を構成して、外部出力端子として例示するミキシングマイク（図示省略）のプラグ（図示省略）が挿脱（断続、接続・分離）自在に挿入、接続されるもので、Ｒ・Ｌチャンネル用入力端子２Ｒ，２Ｌと、アース端子Ｔ１と、マイクロコントローラ１１に接続され且つプラグの接続を検出する検出端子Ｔ２と、連動スイッチＳＷＬ，ＳＷＲ等を有する。各入力端子２Ｒ，２Ｌ及びアース端子Ｔ１は、ミキシングマイクのプラグの各出力端子及びアース端子と接続・分離自在に接続されて、各入力端子２Ｒ，２Ｌには音響信号が入力される。アース端子Ｔ１は第１入力端子１とも接続されている。検出端子Ｔ２はミキシングマイクのプラグの接続時に、これを検出して、ローレベルの検出信号を出力するもので、マイクロコントローラ１１と接続されている。この接続点には抵抗Ｒ２４を介して正電圧＋ＶＤＤが印可されると共に、この接続点は抵抗Ｒ２５を介してゲイン切換回路５にも接続されている。抵抗Ｒ２５とゲイン切換回路５の接続点は電解コンデンサＣ１１を介して接地されている。各連動スイッチＳＷＲ，ＳＷＬは、常時、オン状態とされて、ミキシングマイクのプラグの接続時に、オフ操作されるもので、第１入力端子１の各入力端子１Ｒ，１Ｌと接続された接点Ｔ３，Ｔ５と、これら接点Ｔ３，Ｔ５に断続自在とされた接点Ｔ４，Ｔ６と、上記プラグの接続時に、プラグと当接して接点Ｔ３，Ｔ５と接点Ｔ４，Ｔ６を分離させる連動部１３，１４を有する。
【００１１】
Ｒ・Ｌチャンネル用増幅回路３，４はミキシングマイクからの音響信号を増幅するもので、オペアンプＱ１３，Ｑ２１と、負帰還用抵抗Ｒ２６，Ｒ４４と、コンデンサＣ１１，Ｃ２０を有する。オペアンプＱ１３，Ｑ２１は非反転増幅器とされて、これらの非反転入力端子には、第１入力端子１の入力端子１Ｒ，１Ｌが、抵抗Ｒ３１，Ｒ４３、コンデンサＣ１５，Ｃ１９を介して接続されている。抵抗Ｒ３１，Ｒ４３、とコンデンサＣ１５，Ｃ１９の接続点は抵抗Ｒ３３，Ｒ３８を介して接地され、コンデンサＣ１５，Ｃ１６とオペアンプＱ１３，Ｑ２１の接続点は抵抗Ｒ３２，Ｒ４０を介して接地されている。オペアンプＱ１３，Ｑ２１の非反転入力端子には、第２入力端子２の入力端子２Ｒ，２Ｌが、電解コンデンサＣ１３，Ｃ１７、第２音響ミュート回路７、電解コンデンサＣ１２，Ｃ１５を介して接続されている。第２入力端子２と電解コンデンサＣ１３，Ｃ１７の接続点は、抵抗Ｒ２９，Ｒ３７を介して、接地されている。第２音響ミュート回路７と電解コンデンサＣ１２，Ｃ１６の接続点は、抵抗Ｒ３３，Ｒ３８を介して、接地されている。オペアンプＱ１３，Ｑ２１の反転入力端子には、ゲイン切換回路５が抵抗Ｒ３０，Ｒ４５を介して接続されると共に、オペアンプＱ１３，Ｑ２１の反転入力端子と出力端子間には、抵抗Ｒ２６，Ｒ４４とコンデンサＣ１１，Ｃ２０が並列に介装されている。オペアンプＱ１３，Ｑ２１の出力端子は、電界コンデンサＣ１４，Ｃ１８、抵抗Ｒ２７，Ｒ２８，Ｒ４１，Ｒ４２を介してセレクタ／ボリューム１０に接続されている。オペアンプＱ１３，Ｑ２１には、正電圧＋ＶＤＤと負電圧−ＶＤＤが印可されている。
【００１２】
ゲイン切換回路５は増幅回路３，４のゲインを切換えて、第１入力端子１から増幅回路３，４に音響信号が入力された際に、そのゲインを１とし、第２入力端子２から増幅回路３，４に音響信号が入力された際に、ゲインを１よりも大きな所定の値とするもので、抵抗内蔵タイプのＰＮＰトランジスタＱ１１と、抵抗内蔵タイプの２個のＮＰＮトランジスタＱ１４，Ｑ１９を有している。ＰＮＰトランジスタＱ１１のエミッタは正電圧＋ＶＤＤと抵抗Ｒ２３を介して接続され、ベースは抵抗Ｒ２５と接続され、コレクタはＮＰＮトランジスタＱ１４，Ｑ１９のベースと接続されている。両ＮＰＮトランジスタＱ１４，Ｑ１９のエミッタは接地され、コレクタがオペアンプＱ１３，Ｑ２１の反転入力端子に接続されている。尚、抵抗Ｒ２５と電解コンデンサＣ１１は、それらの時定数で決定される所定時間だけ、ゲイン切換回路５の作動を遅延させる遅延回路を構成している。
【００１３】
第１音響ミュート回路６は増幅回路３，４からセレクタ／ボリューム１０への音響信号の入力を遮断するもので、抵抗内蔵型の４個のＮＰＮトランジスタＱ１５〜Ｑ１８を有する。これらトランジスタＱ１５〜Ｑ１８のエミッタは接地され、ベースは第１音響ミュート駆動回路８に接続されると共に、ベースには抵抗Ｒ３５を介して負電圧−ＶＤＤが印可されている。トランジスタＱ１５，Ｑ１７のコレクタは抵抗Ｒ２７又は抵抗Ｒ４１とセレクタ／ボリューム１０の接続点に接続されている。トランジスタＱ１６，Ｑ１８のコレクタは、抵抗Ｒ２７，Ｒ２８の接続点、又は、抵抗Ｒ４１，Ｒ４２の接続点に接続されている。
【００１４】
第１音響ミュート駆動回路８は第１音響ミュート回路６を作動させるもので、マイクロコントローラ１１と接続されている。
【００１５】
第２音響ミュート回路７は第２入力端子２から増幅回路３，４への音響信号の入力を遮断するもので、ダイオード内蔵タイプの２個のＮチャンネルＭＯＳ電界効果トランジスタＱ１２，Ｑ２０を有する。トランジスタＱ１２，Ｑ２０のソースは電解コンデンサＣ１３，Ｃ１７に接続され、ドレインは電解コンデンサＣ１２，Ｃ１６に接続され、ゲートは第２音響ミュート駆動回路９に接続されると共に、負電圧−ＶＤＤが抵抗Ｒ３６を介して印可される。
【００１６】
第２音響ミュート駆動回路９は第２音響ミュート回路７を作動させるもので、マイクロコントローラ１１と接続されている。
【００１７】
セレクタ／ボリューム１０は、入力される音響信号を選択すると共に、その音量を調整する。
【００１８】
マイクロコントローラ１１（マイコン、システムコントローラ、制御手段、制御装置）は、検出端子Ｔ２からの検出信号を受けると共に、第１・第２音響ミュート駆動回路８，９、セレクタ／ボリューム１０を制御するもので、情報処理を行う中央処理回路（ＣＰＵ）（図示省略）と、制御プログラムが記憶されているリードオンリーメモリ（ＲＯＭ）（図示省略）と、処理に際して必要な変数等を記憶するランダムアクセスメモリ（ＲＡＭ）（図示省略）等を有する。マイクロコントローラは、第１・第２音響ミュート駆動回路８，９に第１・第２ミュート制御信号を出力して、第１・第２音響ミュート駆動回路８，９から第１・第２音響ミュート回路６，７に第１・第２ミュート信号を出力して、これら回路６，７を作動させる。
【００１９】
次に、図２及び図３に示す波形図等に基づき具体的に説明する。尚、図２及び図３において、ゲイン制御のハイレベルは、ゲインが１の場合を示し、ローレベルは１以上の所定の値を示している。
【００２０】
第１入力端子１にのみ音響信号入力用ライン（又は、オーディオ装置の内蔵マイク等）が接続されて、第２入力端子２にミキシングマイクが接続されていない場合には、図２に示すように、検出端子Ｔ２からの検出信号はハイレベルで、ゲイン切換回路５のトランジスタＱ１１，Ｑ１４，Ｑ１９は何れもオフ状態で、オペアンプＱ１３，Ｑ２１の反転入力端子は接地していない。それ故、増幅回路３，４では増幅作用は行われず、そのゲインは１である。
【００２１】
又、マイクロコントローラ１１による第１音響ミュート駆動回路８の制御により、第１音響ミュート駆動回路８から出力される第１ミュート信号はローベルで、第１音響ミュート回路６のトランジスタＱ１５〜Ｑ１８はオフ状態とされ、増幅回路３，４からセレクタ／ボリューム１０に音響信号が出力可能とされている。又、マイクロコントローラ１１による第２音響ミュート駆動回路９の制御により、第２音響ミュート駆動回路９から第２音響ミュート回路７にハイレベルの第２ミュート信号が出力されて、第２音響ミュート回路７のトランジスタＱ１２，Ｑ２０はオン状態となり、第１入力端子からの音響信号がオペアンプＱ１３，Ｑ２１に入力可能とされる。
【００２２】
この状態で、第１入力端子１に音響信号が入力されると、音響信号は増幅回路３，４を介してセレクタ／ボリューム１０に出力されるが、音響信号は増幅回路３，４では増幅されず、第１入力端子１に入力された音響信号がそのままセレクタ／ボリューム１０に出力される。
【００２３】
次に、第２入力端子２にミキシングマイクのプラグを接続すると、プラグと連動スイッチＳＷＲ，ＳＷＬの連動部１３，１４の当接により、連動スイッチＳＷＲ，ＳＷＬの接点Ｔ３〜Ｔ６が離間して、第１入力端子１から増幅回路３，４への音響信号の入力が遮断される。
【００２４】
又、検出端子Ｔ２が上記プラグの接続を検出して、図２に示すように、ローレベルの検出信号を出力し、マイクロコントローラ１１に入力される。この入力を受けて、マイクロコントローラ１１による第１音響ミュート駆動回路８の制御により、増幅回路３，４のゲインが下記のように切換わる前から切換後にわたる所定時間（第１ミュート設定時間）のみ、第１音響ミュート駆動回路８からハイレベルの第１ミュート信号が出力されて、第１音響ミュート回路６のトランジスタＱ１５〜Ｑ１８がオン状態となって、増幅回路３，４からセレクタ／ボリューム１０への音響信号の出力が遮断される。
【００２５】
又、図２に示すように、ローレベルの検出信号がゲイン切換回路５のトランジスタＱ１１のベースに入力される。これにより、トランジスタＱ１１がオン状態となって、トランジスタＱ１４，Ｑ１９もオン状態となり、増幅回路３，４のオペアンプＱ１３，Ｑ２１の反転入力端子が、トランジスタＱ１４，Ｑ１９を介して接地されて、増幅回路３，４が非反転増幅回路として作動し、そのゲインが１以上の所定の値に切換わる。尚、この切換は、上記検出から、抵抗Ｒ２５と電解コンデンサＣ１１による時定数で決定される所定時間だけ、遅延される。これにより、第１音響ミュート回路６による、増幅回路３，４からのセレクタ／ボリューム１０への音響信号の出力の遮断後に、増幅回路３，４のゲインが切換えられる。
【００２６】
更に、ゲイン切換回路５の上記作動後における、第１ミュート設定時間内に、マイクロコントローラ１１による第２音響ミュート駆動回路９の制御により、第２音響ミュート駆動回路９から出力される第２ミュート信号がハイレベルとなる。これにより、第２音響ミュート回路７のトランジスタＱ１２，Ｑ２０がオン状態となって、第２入力端子２から増幅回路３，４への音響信号の入力遮断が解除される。その後、マイクロコントローラ１１による第１音響ミュート駆動回路８の制御により、第１音響ミュート駆動回路８からローレベルの第１ミュート信号が出力されて、第１音響ミュート回路６のトランジスタＱ１５〜Ｑ１８がオフ状態となり、増幅回路３，４からセレクタ／ボリューム１０への音響信号の出力の遮断が解除される。
【００２７】
上記状態で、第２入力端子２に音響信号が入力されると、音響信号は増幅回路３，４で増幅されて、セレクタ／ボリューム１０に出力される。
【００２８】
次に、第２入力端子からミキシングマイクのプラグを分離させると、プラグが連動スイッチＳＷＲ，ＳＷＬの連動部１３，１４から離間して、連動スイッチＳＷＲ，ＳＷＬの接点Ｔ３〜Ｔ６が当接し、第１入力端子１から増幅回路３，４への音響信号の入力が可能となる。
【００２９】
又、上記プラグの離間により、図３に示すように、検出端子Ｔ２からマイクロコントローラ１１に入力される検出信号がハイレベルとなる。これによって、マイクロコントローラ１１による第１音響ミュート駆動回路８の制御により、増幅回路３，４のゲインが下記のように切換わる前から切換後にわたる所定時間（第１ミュート設定時間）のみ、第１音響ミュート駆動回路８からハイレベルの第１ミュート信号が出力されて、第１音響ミュート回路６のトランジスタＱ１５〜Ｑ１８がオン状態となって、増幅回路３，４からセレクタ／ボリューム１０への音響信号の出力が遮断される。
【００３０】
又、図３に示すように、ハイレベルの検出信号がゲイン切換回路５のトランジスタＱ１１のベースに入力される。これにより、トランジスタＱ１１がオフ状態となって、トランジスタＱ１４，Ｑ１９もオフ状態となり、増幅回路３，４のオペアンプＱ１３，Ｑ２１の反転入力端子の接地状態が解除される。それ故、増幅回路３，４では増幅作用は行われず、そのゲインは１となる。尚、この切換は、検出信号がハイレベルとなってから、抵抗Ｒ２５と電解コンデンサＣ１１による時定数で決定される所定時間だけ、遅延される。これにより、第１音響ミュート回路６による、増幅回路３，４からのセレクタ／ボリューム１０への音響信号の出力の遮断後に、増幅回路３，４のゲインが切換えられる。
【００３１】
更に、ゲイン切換回路５の上記作動後における、第１ミュート設定時間内に、マイクロコントローラ１１による第２音響ミュート駆動回路９の制御により、第２音響ミュート駆動回路９から出力される第２ミュート信号がローレベルとなる。これにより、第２音響ミュート回路７のトランジスタＱ１２，Ｑ２０がオフ状態となって、第２入力端子２から増幅回路３，４への音響信号の入力が遮断となる。その後、マイクロコントローラ１１による第１音響ミュート駆動回路８の制御により、第１音響ミュート駆動回路８からローレベルの第１ミュート信号が出力されて、第１音響ミュート回路６のトランジスタＱ１５〜Ｑ１８がオフ状態となり、増幅回路３，４からセレクタ／ボリューム１０への音響信号の出力の遮断が解除される。
【００３２】
上記状態で、第１入力端子１に音響信号が入力されると、音響信号は増幅回路３，４で増幅されず、第１入力端子１に入力された音響信号がそのままセレクタ／ボリューム１０に出力される。
【００３３】
上記のようにして、増幅回路３，４のゲイン切換時に生じたノイズとなる音響信号がセレクタ／ボリューム１０に出力されることを第１・第２音響ミュート回路６，７により良好に防止できる。
【００３４】
尚、上記実施の形態では、第１・第２入力端子を単一としたが、一方又は両者を複数宛としてもよい。又、上記実施の形態では、第１・第２音響ミュート回路を備えたが、どちらか一方のみを備えてもよい。更に、上記実施の形態では、増幅回路のゲインを１と所定の値に切換えたが、複数の所定の値に切換えるようにしてもよい。
【図面の簡単な説明】
【００３５】
【図１】本発明の実施の形態の一例を示す回路図である。
【図２】図１の各所の信号レベル等を示す波形図である。
【図３】図１の各所の信号レベル等を示す波形図である。
【符号の説明】
【００３６】
１，２  第１・第２入力端子
３，４  増幅回路
５  ゲイン切換回路
６，７  第１・第２音響ミュート回路
８，９  第１・第２音響ミュート駆動回路
１１  マイクロコントローラ１１
Ｑ１３，Ｑ２１  オペアンプ
【図１】
2008042285.tif 000003
【図２】
2008042285.tif 000004
【図３】
2008042285.tif 000005